(57)【要約】【課題】他の部材を支持するために支柱に設けられる切欠や孔をより目立ちにくいものとし、什器としての美観や格調を一層高める。【解決手段】正面または背面を向く立面部、及び外側方を向く側面部を有する外壁と、前記外壁に沿って設けられ、支持する対象である他の部材を係合させることのできる切欠または孔が、平断面視において立面部の内側縁と側面部の後縁または前縁とを結ぶ対角線よりも外壁側に退避した位置に形成されている内壁とを備えた支柱を具備する什器を構成した。【選択図】図１０
2018121833.tif 000002
【特許請求の範囲】
【請求項１】
正面または背面を向く立面部、並びに外側方を向く側面部を有する外壁と、
前記外壁に沿って設けられ、支持する対象である他の部材を係合させることのできる切欠または孔が、平断面視において立面部の内側縁と側面部の後縁または前縁とを結ぶ対角線よりも外壁側に退避した位置に形成されている内壁と
を備えた支柱を具備する什器。
【請求項２】
前記内壁が、前記立面部の内側縁よりも外側方に没入し、かつ前記側面部の後縁よりも前方若しくは前縁よりも後方に没入している請求項１記載の什器。
【請求項３】
前記内壁が、前記外壁の立面部の内面側に当接または近接した端部と、前記外壁の側面部に当接または近接した端部とのうち何れか少なくとも一つを有し、
その何れかの端部に前記切欠または孔が形成される請求項１または２記載の什器。
【請求項４】
前記内壁が、平断面視において前記外壁の対角線に沿った内面部と、内面部の側方に連なりそこから前記外壁の立面部また側面部に向かって屈曲した前記端部とを有する請求項３記載の什器。
【請求項５】
前記切欠または孔が、前記支柱に隣接して設立するパネル体を保定する保定具を係合させるためのものである請求項１、２、３または４記載の什器。
【請求項６】
前記パネル体の外面と前記外壁の側面部または立面部の外面とが面一または略面一となる請求項５記載の什器。
【請求項７】
前記切欠または孔が、棚板を支持する棚受を係合させるためのものである請求項１、２、３、４、５または６記載の什器。
【請求項８】
前記棚板の側端面と前記外壁の側面部の外面とが面一または略面一となり、棚板の前端面または後端面と前記外壁の立面部の外面とが面一または略面一となる請求項７記載の什器。
【発明の詳細な説明】
【技術分野】
【０００１】
本発明は、設立した複数本の支柱に他の部材、例えばパネル体や棚板等を取り付けてなる什器に関する。
【背景技術】
【０００２】
この種の什器においては、一般に、支柱の正面や内側面にフック孔を形成しておき、フック孔に棚受を係合させて取り付け、その棚受に棚板を支持させて棚を構成することが行われる（例えば、下記特許文献を参照）。
【０００３】
従前の什器では、支柱に穿たれたフック孔が目につきやすく、その分だけ什器としての美観や格調が損なわれるきらいがあると言えた。
【先行技術文献】
【特許文献】
【０００４】
【特許文献１】特開２０１１−１７４２３９号公報
【特許文献２】特開２０１３−１０２９８８号公報
【発明の概要】
【発明が解決しようとする課題】
【０００５】
本発明は、他の部材を支持するために支柱に設けられる切欠や孔をより目立ちにくいものとし、什器としての美観や格調を一層高めることを所期の目的としている。
【課題を解決するための手段】
【０００６】
本発明では、正面または背面を向く立面部、並びに外側方を向く側面部を有する外壁と、前記外壁に沿って設けられ、支持する対象である他の部材を係合させることのできる切欠または孔が、平断面視において立面部の内側縁と側面部の後縁または前縁とを結ぶ対角線よりも外壁側に退避した位置に形成されている内壁とを備えた支柱を具備する什器を構成した。
【０００７】
前記内壁が、前記立面部の内側縁よりも外側方に没入し、かつ前記側面部の後縁よりも前方または前縁よりも後方に没入していれば、支柱の内壁及び内壁に形成された切欠または孔の存在がさらに目立ちにくくなる。換言すれば、支柱の外壁により、支柱の内壁に形成された切欠または孔を、什器の正面側や背面側、また外側方から好適に遮蔽することができる。
【０００８】
他の部材を係合させるための切欠または孔を効果的に隠蔽するには、前記内壁が、前記外壁の立面部の内面側に当接または近接した端部と、前記外壁の側面部に当接または近接した端部とのうち何れか少なくとも一つを有し、その何れかの端部に前記切欠または孔が形成されることが好ましい。
【０００９】
前記内壁が、平断面視において前記外壁の対角線に沿った内面部と、内面部の側方に連なりそこから前記外壁の立面部また側面部に向かって屈曲した前記端部とを有するものであるならば、内壁及び支柱全体の剛性が高められる上に、内壁の存在がより目立たなくなる。また、支柱に棚板を支持させる場合において、その棚板の上に載置する物品と支柱の内壁との不要な干渉が避けられ、棚に対する物品の出し入れがより円滑となる。
【００１０】
前記切欠または孔は、例えば、前記支柱に隣接して設立するパネル体を保定する保定具を係合させるために利用することができる。
【００１１】
前記パネル体の外面と、前記外壁の側面部または立面部の外面とは、面一または略面一となることが好ましい。
【００１２】
また、前記切欠または孔は、棚板を支持する棚受を係合させるために利用することができる。
【００１３】
前記棚板の側端面と、前記外壁の側面部の外面とは、面一または略面一となることが好ましい。加えて、前記棚板の前端面または後端面と、前記外壁の立面部の外面とは、面一または略面一となることが好ましい。
【発明の効果】
【００１４】
本発明によれば、他の部材を支持するために支柱に設けられる切欠や孔をより目立ちにくいものとして、什器としての美観や格調を一層高めることができる。
【図面の簡単な説明】
【００１５】
【図１】本発明の一実施形態の什器の斜視図。
【図２】同実施形態の什器の正面図。
【図３】同実施形態の什器の右側面図。
【図４】同実施形態の什器の平面図。
【図５】同実施形態の什器の支柱と天板との結合構造を示す分解斜視図。
【図６】同実施形態の什器の支柱と底板との結合構造を示す分解斜視図。
【図７】同実施形態の什器の棚及びパネルの取付構造を示す分解斜視図。
【図８】同実施形態の什器の棚の取付構造を示す平断面図。
【図９】同実施形態のパネルの取付構造に用いる保定具を示す分解斜視図。
【図１０】同実施形態の什器のパネルの取付構造を示す平断面図。
【図１１】本発明の変形例の一に係る保定具を示す分解斜視図。
【図１２】同変形例の什器のパネルの取付構造を示す平断面図。
【発明を実施するための形態】
【００１６】
本発明の一実施形態を、図面を参照して説明する。図１ないし図４に示すように、本実施形態の什器０は、複数本の支柱１１を備えた構造体である什器本体１に、棚板２１やパネル体３１といった他の部材を任意に取り付けることができるものである。
【００１７】
什器本体１は、什器０の四隅の位置で直立する四本の支柱１１と、それら支柱１１の上端部に結合する天板１４と、それら支柱１１の下端部に結合する底板１５とを備えている。各支柱１１は、当該支柱１１の外面を構成する外壁１２と、外壁１２の内側にあって当該支柱１１の内面を構成する内壁１３とを要素とする。
【００１８】
支柱１１の外壁１２は、正面または背面を向く立面部１２１と、外側方を向く側面部１２２とを有しており、平断面視アングル状をなして上下方向に延伸している。本実施形態にあって、立面部１２１と側面部１２２とは、互いに直交または略直交する。什器０の正面側で左右に対をなす支柱１１の外壁１２の立面部１２１は正面を向き、側面部１２２は什器０の左右の外側方を向く。その外壁１２に隣接する内壁１３は、立面部１２１の後方かつ側面部１２２の内側方に所在する。他方、什器０の背面側で左右に対をなす支柱１１の外壁１２の立面部１２１は背面を向き、側面部１２２は什器０の左右の外側方を向く。その外壁１２に隣接する内壁１３は、立面部１２１の前方かつ側面部１２２の内側方に所在する。立面部１２１の左右幅寸法と、側面部１２２の前後幅寸法とは略等しい。
【００１９】
支柱１１の内壁１３は、外壁１２の立面部１２１及び側面部１２２の各々に対して傾斜した内方を向く内面部１３１と、内面部１３１の両側方に連なりそこから外壁１２の立面部１２１また側面部１２２に向かって屈曲した端部１３２とを有しており、平断面視等断面形状をなし、外壁１２に沿うように上下方向に延伸している。図８に示すように、内壁１３の内面部１３１は、平断面視において、外壁１２の立面部１２１の内側縁と側面部１２２の後縁または前縁とを結ぶ対角線Ｄに沿っている。内壁１３の内面部１３１と、外壁１２の立面部１２１及び側面部１２２とがなす角度は、それぞれ略４５°となる。また、内壁１３の端部１３２は、それが突き当たる外壁１２の立面部１２１または側面部１２２と略直交する。
【００２０】
本実施形態では、支柱１１の外壁１２と内壁１３とが別個の部材となっており、内壁１３の両端部１３２を外壁１２の立面部１２１及び側面部１２２にそれぞれスポット溶接等により固着することで、外壁１２と内壁１３とを一体化している。但し、板金の折曲成形や、金属または合成樹脂の押出成形等により、外壁１２と内壁１３とを一体に成形することも考えられる。支柱１１には、外壁１２及び内壁１３により包囲され上下方向に延伸した内部空間が形成される。
【００２１】
外壁１２の立面部１２１に突き当たる内壁１３の端部１３２は、什器０の内側方を向く。並びに、外壁１２の側面部１２２に突き当たる内壁１３の端部１３２は、什器０の前後方向を向く。その上で、それら端部１３２に、当該端部１３２を貫通する切欠１３３を、上下方向に沿って間欠的に多数形成する。なお、図示例では、外壁１２に臨む側の周縁が閉じていない（外壁１２に向かって開放した）切欠１３３を形成しているが、このような切欠１３３に代えて、周縁が閉じた孔を端部１３２に穿ち設けるようにしても構わない。この切欠１３３または孔は、支柱１１の内壁１３と外壁１２との境界部位にあって、上下方向に拡張した細幅のスリット状をなす。
【００２２】
各支柱１１の上端部は、天板１４の四隅に固定する。具体的には、図５に示すように、連結部材１６を用いて、支柱１１の上端部を天板１４の隅角部の下面側に連結する。なお、図５では、天板１４を（補強材１４１を除き）二点鎖線で描画している。連結部材１６は、上下方向に伸びる支柱１１側の挿入端１６１と、左右方向に伸びる天板１４側の挿入端１６２とを有し、概ねＬ字形をなしている。連結部材１６の支柱１１側の挿入端１６１は、支柱１１における外壁１２及び内壁１３に包囲された内部空間に上方から挿入する。そして、ボルト１６３を支柱１１の内壁１３の内面部１３１に穿ってあるボルト挿通孔１３１ａに挿通し、当該ボルト１６３を連結部材１６の挿入端１６１に形成したナット孔１６１ａに螺合させ緊締する。これにより、連結部材１６の挿入端１６１を支柱１１に固定する。
【００２３】
他方、連結部材１６の天板１４側の挿入端１６２は、天板１４の下面及びこの下面に溶接等により固着した左右方向に伸びるチャネル状の補強材１４１に包囲される内部空間に、外側方より挿入する。そして、ボルト１６４を補強材１４１に穿ってあるボルト挿通孔１４１ａに挿通し、当該ボルト１６４を連結部材１６の挿入端１６２に形成したナット孔１６２ａに螺合させ緊締する。これにより、連結部材１６の挿入端１６２を天板１４に固定し、ひいては連結部材１６を介して支柱１１と天板１４とを連結する。
【００２４】
天板１４の隅角部において、天板１４の前端面を構成する前壁、及び後端面を構成する後壁はそれぞれ、支柱１１の外壁１２の立面部１２１の左右幅寸法の分だけ切り欠いてある。同様に、天板１４の左右の側端面を構成する左右の側壁もそれぞれ、支柱１１の外壁１２の側面部１２２の前後幅寸法の分だけ切り欠いてある。支柱１１を天板１４に連結したとき、什器０の正面側にある支柱１１の立面部１２１の外面即ち前向面と天板１４の前端面とが面一または略面一となり、什器０の背面側にある支柱１１の立面部１２１の外面即ち後向面と天板１４の後端面とが面一または略面一となる。並びに、什器０の左方にある支柱１１の側面部１２２の外面即ち左側面と天板１４の左方の側端面とが面一または略面一となり、什器０の右方にある支柱１１の側面部１２２の外面即ち右側面と天板１４の右方の側端面とが面一または略面一となる。支柱１１の外壁１２の上端縁の高さは、天板１４の上面の高さに一致または略一致する。
【００２５】
各支柱１１の下端部は、底板１５の四隅に固定する。具体的には、図６に示すように、連結部材１７を用いて、支柱１１の下端部を底板１５の隅角部に側方から連結する。なお、図６では、底板１５を（補強材１５１を除き）二点鎖線で描画している。連結部材１７は、支柱１１側の連結端１７１と、左右方向に伸びる底板１５側の挿入端１７２とを有している。連結部材１７の支柱１１側の連結端１７１は、支柱１１の内壁１３における内面部１３１に固定する。そのために、ボルト１７３を連結端１７１に開設したボルト挿通孔１７１ａに挿通し、当該ボルト１７３を内面部１３１に形成したナット孔１３１ｂに螺合させ緊締する。これにより、連結部材１７の連結端１７１を支柱１１に固定する。
【００２６】
他方、連結部材１７の底板１５側の挿入端１７２は、底板１５の下面及びこの下面に溶接等により固着した左右方向に伸びるチャネル状の補強材１５１に包囲される内部空間に外側方より挿入する。その上で、ボルト１７４を補強材１５１に穿ってあるボルト挿通孔１５１ａに挿通し、当該ボルト１７４を連結部材１７の挿入端１７２に形成したナット孔１７２ａに螺合させ緊締する。これにより、連結部材１７の挿入端１７２を底板１５に固定し、ひいては連結部材１７を介して支柱１１と底板１５とを連結する。
【００２７】
底板１５の隅角部において、底板１５の前端面を構成する前壁、及び後端面を構成する後壁はそれぞれ、支柱１１の外壁１２の立面部１２１の左右幅寸法の分だけ切り欠いてある。同様に、底板１５の左右の側端面を構成する左右の側壁もそれぞれ、支柱１１の外壁１２の側面部１２２の前後幅寸法の分だけ切り欠いてある。加えて、底板１５の四隅を、支柱１１の内壁１３の内面部１３１、端部１３２及び外壁１２の内向面に沿うように切り落としている。支柱１１を底板１５に連結したとき、什器０の正面側にある支柱１１の前向面と底板１５の前端面とが面一または略面一となり、什器０の背面側にある支柱１１の後向面と底板１５の後端面とが面一または略面一となる。並びに、什器０の左方にある支柱１１の左側面と底板１５の左方の側端面とが面一または略面一となり、什器０の右方にある支柱１１の右側面と底板１５の右方の側端面とが面一または略面一となる。さらに、支柱１１の内壁１３が、切り落とした底板１５の四隅にぴったりと収まる。
【００２８】
しかして、本実施形態の什器０には、物品を載置可能な棚２や、対をなす支柱１１間を遮蔽するパネル３を設けることができる。
【００２９】
図７及び図８に示すように、棚２は、棚板２１と、棚板２１の左右の側端部をそれぞれ支持する一対の棚受２２とを要素とする。棚受２２は、棚板２１の側端部に沿うように前後方向に延びており、その前後両側にフック爪２２１を有している。フック爪２２１は、棚受２２及び棚板２１を支柱１１に支持させるべく、支柱１１の内壁１３の端部１３２に穿たれたスリット状の切欠１３３（または、孔）と係合する部位である。
【００３０】
什器０の正面側の支柱１１の内壁１３における、同支柱１１の外壁１２の側面部１２２に突き当たる端部１３２に形成された切欠１３３は、後方に向けて開口する。他方、什器０の背面側の支柱１１の内壁１３における、同支柱１１の外壁１２の側面部１２２に突き当たる端部１３２に形成された切欠１３３は、前方に向けて開口する。什器０の正面側の支柱１１に形成された前者の切欠１３３と、背面側の支柱１１に形成された後者の切欠１３３とは、前後方向に沿って対向している。その上で、図８に示しているように、棚受２２の前側のフック爪２２１を前者の切欠１３３に差し入れて係合させ、かつ後側のフック爪２２１を後者の切欠１３３に差し入れて係合させれば、棚受２２を前後に対をなす支柱１１の内壁１３間に架け渡すことができる。
【００３１】
什器本体１に棚２を設置するに際しては、什器０の左方の支柱１１及び右方の支柱１１の各々に棚受２２を支持させ、それら左右の棚受２２に棚板２１の左右両側部を載せ置く。結果、棚板２１が棚受２２を介して什器本体１の支柱１１に支持される。棚２の高さ位置を調整したければ、棚受２２のフック爪２２１を係合させる切欠１３３を変更して、棚受２２の高さを変えればよい。
【００３２】
棚板２１の隅角部において、棚板２１の前端面を構成する前壁、及び後端面を構成する後壁はそれぞれ、支柱１１の外壁１２の立面部１２１の左右幅寸法の分だけ切り欠いてある。同様に、棚板２１の左右の側端面を構成する左右の側壁もそれぞれ、支柱１１の外壁１２の側面部１２２の前後幅寸法の分だけ切り欠いてある。加えて、棚板２１の四隅を、支柱１１の内壁１３の内面部１３１、端部１３２及び外壁１２の内向面に沿うように切り落としている。棚板２１を支柱１１に支持させたとき、什器０の正面側にある支柱１１の前向面と棚板２１の前端面とが面一または略面一となり、什器０の背面側にある支柱１１の後向面と棚板２１の後端面とが面一または略面一となる。並びに、什器０の左方にある支柱１１の左側面と棚板２１の左方の側端面とが面一または略面一となり、什器０の右方にある支柱１１の右側面と棚板２１の右方の側端面とが面一または略面一となる。さらに、支柱１１の内壁１３が、切り落とした棚板２１の四隅にぴったりと収まる。
【００３３】
上に述べた通り、本実施形態の什器０にあっては、支柱１１（の外壁１２）の外面と、支柱１１に対して取り付けられる天板１４、底板１５及び棚板２１の各々の端面とが面一または略面一となる。これにより、什器０が全体としてフラットな美観を呈する。加えて、複数基の什器０を隣接させて配置することも可能である。このとき、ある什器０の天板１４、底板１５または棚板２１と、隣り合う他の什器０の天板１４、底板１５または棚板２１とが互いに極近接または当接し、それら天板１４、底板１５または棚板２１により物品を載置し得る広大な収納領域を形成することができる。
【００３４】
図７、図９及び図１０に示すように、パネル３は、支柱１１に隣接し支柱１１とともに直立するパネル体３１と、パネル体３１を支柱１１に対して保定する保定具３２とを要素とする。パネル体３１は、前後に対をなす支柱１１間を外側方より遮蔽するための部材である。パネル体３１は、本体部３１１と、本体部３１１の両端から延出した本体部３１１よりも厚みの薄い側端部３１２とを有している。外面を外側方に向けるようにして設置されるパネル体３１の本体部３１１の前後幅寸法は、什器０の正面側の支柱１１の外壁１２の後縁と、背面側の支柱１１の外壁１２の前縁との離間距離に略等しい。そして、パネル体３１の本体部３１１の外面と、側端部３１２の外面との間に、段差を設けている。具体的には、側端部３１２の外面を、本体部３１１の外面から内側方に退避させている。
【００３５】
保定具３２は、支柱１１に対して取り付けられる第一保定部品３２１と、第一保定部品３２１に対して取り付けられる第二保定部品３２２とによって、パネル体３１の側端部３１２を挟持するものである。第一保定部品３２１、第二保定部品３２２はそれぞれ、例えば合成樹脂製の一体成形品である。
【００３６】
図９及び図１０に示しているように、第一保定部品３２１は、支柱１１の内壁１３の内面部１３１に沿う被係合部３２１ａと、被係合部３２１ａの両側方に連なりそこから内壁１３の端部１３２に沿うように外壁１２の立面部１２１また側面部１２２に向かって延びる保定部３２１ｂとを有している。被係合部３２１ａは、第二保定部品３２２が係合する部位であり、比較的薄肉となっており、その中央を上方から下方に向かって一部切り欠いてある。保定部３２１ｂは、支柱１１の内壁１３に取り付けられ、かつ第二保定部品３２２とともにパネル体３１の側端部３１２を挟む部位である。保定部３２１ｂにおける、支柱１１の内壁１３の端部１３２に臨む面からは、挿入片３２１ｃが突出している。挿入片３２１ｃは、支柱１１の内壁１３の端部１３２に形成された切欠１３３（または、孔）に挿入される。被係合部３２１ａの両側方にある一対の保定部３２１ｂの一方に形成した挿入片３２１ｃの突出方向と、他方に形成した挿入片３２１ｃの突出方向とは、略直交している。また、保定部３２１ｂの側端は、支柱１１の外壁１２に沿って屈曲し、その内向面が外壁１２の内向面と略等しい方向を向いている。
【００３７】
第二保定部品３２２は、基部３２２ａと、基部３２２ａから離間して基部３２２ａに対向する掛止部３２２ｂと、それら基部３２２ａ及び掛止部３２２ｂを連結する連結部３２２ｃとを有している。基部３２２ａと掛止部３２２ｂとの離間距離は、第一保定部品３２１における被係合部３２１ａの肉厚に略等しい。基部３２２ａの両側の端面は、支柱１１の外壁１２の内向面と略平行となるように切り落とされている。
【００３８】
什器本体１にパネル３を設置するに際しては、まず、第一保定部品３２１の被係合部３２１ａを支柱１１の内壁１３の内面部１３１に近接または当接させ、かつ保定部３２１ｂを支柱１１の内壁１３の端部１３２及び外壁１２の縁部に近接または当接させて、保定部３２１ｂから突出する挿入片３２１ｃを支柱１１の内壁１３の切欠１３３に挿入する。これにより、第一保定部品３２１が、支柱１１の内壁１３を抱く（または、くわえ込む）ようにして支柱１１に取り付けられる。次いで、パネル体３１を、前後に対をなす支柱１１間の領域に配置する。このとき、パネル体３１の側端部３１２を、第一保定部品３２１の保定部３２１ｂに近接または当接させる。
【００３９】
しかる後、第二保定部品３２２を、その基部３２２ａと掛止部３２２ｂとの間に第一保定部品３２１の被係合部３２１ａを差し入れるように、第一保定部品３２１に上方から係合させる。第二保定部品３２２の連結部３２２ｃは、第一保定部品３２１の被係合部３２１ａにおける切り欠かれた部分に収まる。これにより、第二保定部品３２２が第一保定部品３２１に対して取り付けられ、ひいては当該第一保定部品３２１を介して支柱１１に支持される。同時に、図１０に示すように、第二保定部品３２２の基部３２２ａの両側の端面が、第一保定部品３２１の保定部３２１ｂの側端と略平行に対向し、かつパネル体３１の側端部３１２に当接する。結果、第一保定部品３２１の保定部３２１ｂの側端がパネル体３１の側端部３１２に外面側から接するとともに、第二保定部品３２２の基部３２２ａの両側が同パネル体３１の側端部３１２に内面側から接する状態となる。即ち、パネル体３１の側端部３１２が第一保定部品３２１及び第二保定部品３２２により挟持され、パネル体３１が支柱１１に対して保定される。
【００４０】
支柱１１（の外壁１２）の外面と、支柱１１に対して取り付けられるパネル体３１の本体部３１１の外面とは面一または略面一となり、パネル３を含めた什器０が全体としてフラットな美観を呈する。パネル３の高さ位置を調整したければ、第一保定部品３２１の挿入片３２１ｃを係合させる切欠１３３を変更し、保定具３２の高さを変えればよい。
【００４１】
本実施形態では、正面または背面を向く立面部１２１、並びに外側方を向く側面部１２２を有する外壁１２と、前記外壁１２に沿って設けられ、支持する対象である他の部材を係合させることのできる切欠１３３または孔が、平断面視において立面部１２１の内側縁と側面部１２２の後縁または前縁とを結ぶ対角線Ｄよりも外壁１２側に退避した位置に形成されている内壁１３とを備えた支柱１１を具備する什器０を構成した。本実施形態によれば、支柱１１に他の部材２２、３２を支持させるために用いられる切欠１３３または孔の存在が目立たず、什器０の美観、格調を高めることができる。
【００４２】
前記内壁１３が、前記立面部１２１の内側縁よりも外側方に没入し、かつ前記側面部１２２の後縁よりも前方若しくは前縁よりも後方に没入している。換言すれば、外壁１２が什器０の内側方、後方または前方に張り出して、内壁１３を前後方向及び外側方から遮蔽している。このため、内壁１３及びこれに形成された切欠１３３または孔の存在がより目立ちにくくなる。
【００４３】
前記内壁１３が、前記外壁１２の立面部１２１の内面側に当接または近接した端部１３２と、前記外壁１２の側面部１２２に当接または近接した端部１３２とのうち何れか少なくとも一つを有し、その何れかの端部１３２に前記切欠１３３または孔が形成されている。一方の端部１３２は、立面部１２１の内側縁よりも外側方に位置し、他方の端部１３２は、側面部１２２の後縁よりも前方に位置するか、側面部１２２の前縁よりも後方に位置する。つまり、切欠１３３または孔が外壁１２のすぐ裏側に位置しており、そのおかげで当該切欠１３３または孔が効果的に隠蔽される。
【００４４】
前記内壁１３が、平断面視において前記外壁１２の対角線Ｄに沿った内面部１３１と、内面部１３１の側方に連なりそこから前記外壁１２の立面部１２１また側面部１２２に向かって屈曲した前記端部１３２とを有しており、その内壁１３の存在がより目立たない。加えて、内壁１３及び支柱１１全体の剛性を高めることにも寄与する。また、支柱１１に棚２を支持させる場合において、その棚２上に載置する物品と内壁１３との不要な干渉が避けられ、棚２に対する物品の出し入れがより円滑となる。
【００４５】
前記切欠１３３または孔は、前記支柱１１に隣接し当該支柱１１に沿って設立するパネル体３１を保定する保定具３２を係合させるためのものである。支柱１１に保定したパネル体３１の外面と、支柱１１の外壁１２の側面部１２２または立面部１２１の外面とは、面一または略面一となる。
【００４６】
さらに、前記切欠１３３または孔は、棚板２１を支持する棚受２２を係合させるためのものでもある。支柱１１に支持させた棚板２１の側端面と、支柱１１の外壁１２の側面部１２２の外面とは面一または略面一となる。並びに、棚板２１の前端面または後端面と、支柱１１の外壁１２の立面部１２１の外面とは面一または略面一となる。
【００４７】
本実施形態に係る、支柱１１に隣接して設立するパネル体３１の取付構造では、前記支柱１１に対して取り付けられ前記パネル体３１の側端部３１２に外面側から接する第一保定部品３２１と、前記第一保定部品３２１に対して取り付けられパネル体３１の側端部３１２に内面側から接する第二保定部品３２２とによってパネル体３１の側端部３１２を挟持するようにしている。本実施形態によれば、第一保定部品３２１に対して第二保定部品３２２を付け外しすることを通じて、パネル体３１の着脱作業を簡便に行い得る。
【００４８】
前記支柱１１の外壁１２は、正面視または背面視において前記第一保定部品３２１及び前記第二保定部品３２２並びに前記パネル体３１の側端部３１２を遮蔽し、かつ側面視においてもこれらを遮蔽する。換言すれば、保定具３２及びパネル体３１の側端部３１２が、支柱１１の外壁１２の内側縁よりも外側方に位置し、かつ外壁１２の後縁よりも前方に、または外壁１２の前縁よりも後方に位置する。このため、保定具３２の存在が目立たず、什器０の美観、格調を高めることができる。
【００４９】
パネル体３１の本体部３１１の外面と側端部３１２の外面との間には段差を設けており、支柱１１の外壁１２により遮蔽されずに表出するパネル体３１の本体部３１１の外面と、支柱１１の外壁１２の外面とが面一または略面一となる。
【００５０】
なお、本発明は以上に詳述した実施形態に限られるものではない。上記実施形態では、支柱１１の外壁１２の立面部１２１と側面部１２２とが直交していたが、外壁１２の形状はこれに限定されない。例えば、立面部１２１と側面部１２２とが交わる隅角部位を面取りしたり、丸みをつけた形状としたりしてもよい。
【００５１】
パネル体３１を保定する保定具３２の第一保定部品３２１と第二保定部品３２２との係合の構造も、上記実施形態の如きものには限定されない。例えば、図１１及び図１２に示すように、第一保定部品３２１の被係合部３２１ａに軸孔３２１ｄを穿ち設けておき、第二保定部品３２２の基部３２２ａに第一保定部品３２１に向けて突出する支軸３２２ｄを形成し、支軸３２２ｄを軸孔３２１ｄに挿入することで第二保定部品３２２を第一保定部品３２１に取り付ける態様をとることが考えられる。この場合、第二保定部品３２２が、第一保定部品３２１に対して相対的に、支軸３２２ｄを中心として回動することが可能となる。図示例の第二保定部品３２２の基部３２２ａは、その幅方向に沿った寸法が、当該幅方向と直交する上下方向に沿った寸法よりも大きい。従って、第二保定部品３２２を支軸３２２ｄを中心に回動させる操作を通じて、図１２（Ａ）に示すように基部３２２ａの両側の端面がパネル体３１の側端部３１２の内面側に当接する状態と、図１２（Ｂ）に示すように基部３２２ａの両側の端面がパネル体３１の側端部３１２から離反する状態とを選択的にとることができる。パネル体３１を支柱１１に対して取り付ける際には、第二保定部品３２２を図１２（Ｂ）に示す姿勢としてからパネル体３１の側端部３１２を第一保定部品３２１の保定部３２１ｂに近接または当接させて配置し、しかる後第二保定部品３２２を図１２（Ａ）に示す姿勢まで回動させればよい。
【００５２】
上記実施形態では、什器０の前後に対をなす支柱１１間の領域を外側方より遮蔽するパネル体３１を保定具３２を使用して取り付けていたが、同様の取付構造を以て、什器０の左右に対をなす支柱１１間の領域を後方または前方より遮蔽するパネル体３１’を保定具３２を使用して取り付けることも可能である。
【００５３】
その他各部の具体的構成は、本発明の趣旨を逸脱しない範囲で種々変形が可能である。
【符号の説明】
【００５４】
０…什器
１…什器本体
１１…支柱
１２…外壁
１２１…立面部
１２２…側面部
Ｄ…対角線
１３…内壁
１３３…切欠
２１…棚板
２２…棚受
３１…パネル体
３２…保定具
３２１…第一保定部品
３２２…第二保定部品
【図１】
2018121833.tif 000003
【図２】
2018121833.tif 000004
【図３】
2018121833.tif 000005
【図４】
2018121833.tif 000006
【図５】
2018121833.tif 000007
【図６】
2018121833.tif 000008
【図７】
2018121833.tif 000009
【図８】
2018121833.tif 000010
【図９】
2018121833.tif 000011
【図１０】
2018121833.tif 000012
【図１１】
2018121833.tif 000013
【図１２】
2018121833.tif 000014